【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
前駆体流体と、前記前駆体流体よりも高温度の第２の流体とを混合することによってナノ粒子を析出する混合反応装置であって、
前記前駆体流体の流れを受け入れるように構成された入口領域と、混合流を送出するように構成された出口領域とを有する、第１の流体導管と、
前記第２の流体を受け入れるように構成された、第２の流体導管と、を備え、
前記第２の流体導管は、前記第１の流体導管内の流れとほぼ直角を成す方向に、前記第１の流体導管内に延在し、前記第２の流体を前記第１の流体導管内へと導入する開口を有する、混合反応装置。
【請求項２】
前記入口領域が、前記出口領域とほぼ同軸上にある、請求項１に記載の混合反応装置。
【請求項３】
前記入口領域、及び出口領域両方における流れが、ほぼ垂直方向に上向きであるように構成された、請求項１又は２に記載の混合反応装置。
【請求項４】
前記入口領域が、前記前駆体流体を受け入れる単一の入口孔を有する、前出の請求項のいずれか一項に記載の混合反応装置。
【請求項５】
前記開口が、前記第１の導管を通る流れと同じ方向を向く、前出の請求項のいずれか一項に記載の混合反応装置。
【請求項６】
前記開口が、前記第１の導管を通る流れに対向する方向を向く、請求項１〜４のいずれかに記載の混合反応装置。
【請求項７】
前記開口が、前記第１の導管を通る流れとほぼ直角を成す方向を向く、請求項１〜４のいずれかに記載の混合反応装置。
【請求項８】
前記第１の導管が、ほぼ均一な断面を有する、前出の請求項のいずれか一項に記載の混合反応装置。
【請求項９】
前記第１の導管が、前記第１の導管内の凹部を埋めるための成形具を備え、したがって、前記成形具が、少なくとも部分的に前記均一な断面の輪郭を形成する、請求項８に記載の混合反応装置。
【請求項１０】
前記第２の流体導管が、前記第１の流体導管の全幅にわたって延在する、前出の請求項に記載の混合反応装置。
【請求項１１】
前記第２の流体導管が、前記第１の流体導管を貫通して延在し、対向する２つの方向から前記開口に向けて、前記第２の流体を流すように構成される、請求項１０に記載の混合反応装置。
【請求項１２】
前記開口が、前記第１の流体導管の流れ領域中心部に、前記第２の流体を直接導入する、前出の請求項のいずれか一項に記載の混合反応装置。
【請求項１３】
前記第１の流体導管が円形の断面を有し、前記第２の流体が、前記第１の流体導管の中心軸上に導入される、請求項１２に記載の混合反応装置。
【請求項１４】
前記第２の流体が、前記第１の流体導管の前記断面における複数の領域に導入され、前記複数の領域が、前記第１の導管の中心軸に対して回転対称を成す、前出の請求項のいずれか一項に記載の混合反応装置。
【請求項１５】
前記開口が、前記第２の流体導管の側壁を貫通して形成される、前出の請求項のいずれか一項に記載の混合反応装置。
【請求項１６】
前記第２の流体導管が複数の開口を備える、前出の請求項のいずれか一項に記載の混合反応装置。
【請求項１７】
前記開口が、前記第２の流体導管の軸方向に沿って距離をあけて備えられる、請求項１６に記載の混合反応装置。
【請求項１８】
前記開口が、前記流体導管の周方向に沿って距離をあけて備えられる、請求項１６又は１７に記載の混合反応装置。
【請求項１９】
前記混合反応装置が、向かい合う２つの孔と、３つ目の側孔とを有するＴ字片を備え、前記第１の流体導管が、前記向かい合う孔の間に領域を有し、前記第２の流体導管が前記側孔を介して導入される、前出の請求項のいずれか一項に記載の混合反応装置。
【請求項２０】
前記混合反応装置が、向かい合う第１の一対の孔と、向かい合う第２の一対の孔とを有する十字片を備え、前記第１の一対の孔が前記第２の一対の孔に対して９０度を成し、前記第１の流体導管が前記第１の一対の孔の間に領域を有し、前記第２の流体導管が前記第２の一対の孔を介して導入される、請求項１〜１８のいずれかに記載の混合反応装置。
【請求項２１】
第２の導管の前記輪郭が、前記第２の導管の下流の混合を向上させるのに適応した輪郭である、前出の請求項のいずれか一項に記載の混合反応装置。
【請求項２２】
前記第２の導管に取り付けられた成形具によって、前記第２の導管の前記輪郭を適応させる、請求項２１に記載の混合反応装置。
【請求項２３】
前記成形具が、上流方向に向かって幅が狭くなるように、前記第２の流体導管から離れるにしたがって細く形成される、請求項２２に記載の混合反応装置。
【請求項２４】
前記成形具が、前記第２の導管の前記輪郭を、前記第１の導管を通る流れと直角を成す方向に延ばす、請求項２１又は２２に記載の混合反応装置。
【請求項２５】
前記出口領域の周囲に、混合流体の温度を制御するための加熱器、又は冷却器が設けられた、前出の請求項のいずれか一項に記載の混合反応装置。
【請求項２６】
前記第２の流体へ熱を供給するための加熱器が、前記第２の導管の周囲に設けられた、前出の請求項のいずれか一項に記載の混合反応装置。
【請求項２７】
前記入口領域が、前記前駆体流体の温度を制御するための加熱器、又は冷却器を備える、前出の請求項のいずれか一項に記載の混合反応装置。
【請求項２８】
前記出口領域に、第３の流体を受け入れるための入口孔をさらに備える、前出の請求項のいずれか一項に記載の混合反応装置。
【請求項２９】
前記入口孔が急冷用流体を受け入れるように構成された、請求項２８に記載の混合反応装置。
【請求項３０】
前記入口領域が混合装置を備える、前出の請求項のいずれか一項に記載の混合反応装置。
【請求項３１】
前記第２の流体が過熱水を含む、前出の請求項のいずれか一項に記載の混合反応装置。
【請求項３２】
前記前駆体流体が金属塩水溶液を含む、前出の請求項のいずれか一項に記載の混合反応装置。
【請求項３３】
第１の流体導管を介して前駆体流体を混合反応装置内に流すことによって、ナノ粒子を製造する方法であって、前記第１の流体導管における流れの方向とほぼ直角を成す方向に前記第１の流体導管の中へ延在する第２の流体導管を介して、第２の流体を前記第１の流体導管へと導入する、ナノ粒子を製造する方法。
【請求項３４】
前記混合反応装置が、請求項１〜３２のいずれかに記載の混合反応装置である、請求項３３に記載の方法。
【請求項３５】
前記ナノ粒子が金属、及び／又は、金属酸化物を含む、請求項３３に記載の方法。
【請求項３６】
ナノ粒子を製造する方法であって、
前駆体流体を円筒形の前駆体流体管へ上向きに流し、前記前駆体流体の流れの中心軸上の地点にて、又は流れの中心軸の周辺に回転対称に設けられた地点にて、前記前駆体流体の流れとほぼ直角を成す超臨界流体管を介して、前記前駆体流体の流れに超臨界流体の流れを導入し、前記超臨界流体が、前記前駆体流体の流れの方向に直角に、又は並流成分を有する方向に、並流に導入されることと、
ナノ粒子を製造するために、前記前駆体流体の流れと超臨界流体の流れとを混合、及び反応させることと、
を備える方法。
【請求項３７】
前記超臨界流体管が、前記前駆体流体管の方向を完全に横切って延在する、請求項３６に記載の方法。
【請求項３８】
流れ制御器が、前記超臨界流体管に付随されて、前記超臨界流体管の中心軸の上流に設けられ、流れ制御器が設けられない場合よりも均一な混合を実現するために、前記超臨界流体管周辺における前駆体の流体流を制御する、請求項３６又は３７に記載の方法。
【手続補正２】
【補正対象書類名】明細書
【補正対象項目名】００２６
【補正方法】変更
【補正の内容】
【００２６】
【図１】本発明の一実施形態による混合反応装置の断面概略図である。
【図２】第１の流体導管が成形具を備える、一実施形態による混合反応装置の断面概略図である。
【図３】第２の流体導管が、周方向に配置された複数の開口を備える、一実施形態における流れを示す断面概略図である。
【図４】軸方向に配置された複数の開口を有する第２の流体導管からの流れを示す、断面概略図である。
【図５】第１の流体導管を完全に横切って延在する第２の流体導管に設けられた、開口からの流れを示す断面概略図であって、当該開口が、第１の流体導管の断面の中心に位置している図である。
【図６】図５に示す流体導管の周囲の流れを概略的に表したものである。
【図７】本発明の別の実施形態の断面概略図であって、第２の流体導管が第１の流体導管を貫通して延在し、対向する２つの方向から開口に向けて第２の流体を流すように構成される図である。
【図８】下流の混合を向上させるように第２の流体導管の輪郭を変更するために、成形具が取り付けられた第２の流体導管の、周囲の流れの概略図である。
【図９】代替の成形具が取り付けられた第２の流体導管の、周囲の流れの概略図である。
【図１０】本発明の一実施形態による工程によって得られた、ナノ粒子を分散した懸濁液を示す写真である。
【図１１】図１０の懸濁液の、沈殿後を表す写真である。
【図１２】本発明の一実施形態による工程のフロー図である。
【手続補正３】
【補正対象書類名】明細書
【補正対象項目名】００３２
【補正方法】変更
【補正の内容】
【００３２】
別の実施形態では、入口領域３が出口領域４の垂直方向上方になくてもよく、入口領域３が出口領域４の垂直方向下方でもよく、又は当該２つの領域がほぼ水平であってもよい。